(57)【特許請求の範囲】
【請求項１】
電子部品が配置されるプリント基板を電子機器本体内に備え、複数のメッキ部材を有する電子機器において、
前記メッキ部材のメッキ部分と接触する導電性のアースプレートを介して、前記各メッキ部材の前記メッキ部分が互いに電気的に接続されるよう構成し、
前記各メッキ部材の前記メッキ部分または前記アースプレートと、グランド側とを電気的に接続するアース用の接続線を設け、
前記電子機器本体と、前記電子機器本体から分離可能な分離部とにそれぞれ前記メッキ部材が配置されたものであり、
前記アースプレートとして、前記電子機器本体に配置された前記メッキ部材と接触する本体側アースプレートと、前記分離部に配置された前記メッキ部材と接触する分離側アースプレートとが設けられたものであって、
前記本体側アースプレートと前記分離側アースプレートとが接触するよう構成した
ことを特徴とする電子機器。
【請求項２】
前記プリント基板は前記電子機器本体にねじにより固定されるものであって、
前記メッキ部材のメッキ部分と、これに接触する前記アースプレートとを、前記電子機器本体と前記プリント基板とにより挟圧した
ことを特徴とする請求項１記載の電子機器。
【請求項３】
前記分離部は前記電子機器本体にねじにより固定されるものであって、
前記本体側アースプレートと前記分離側アースプレートとを、前記電子機器本体と前記分離部とにより挟圧した
ことを特徴とする請求項１または２記載の電子機器。
【請求項４】
前記アースプレートにおける前記メッキ部材の前記メッキ部分との接触部分が、前記メッキ部分側へ付勢されるよう構成した
ことを特徴とする請求項１乃至３の何れか１項記載の電子機器。
【発明の詳細な説明】
【０００１】
【発明の属する技術分野】
本発明は、電子機器に関する。
【０００２】
【従来の技術】
従来、この種の電子機器として、ＣＤ（Compact Disk）プレーヤと、ＣＤ−Ｒ（Compact Disk Recordable）／ＣＤ−ＲＷ（Compact Disk Rewritable）レコーダと、ＭＤ（Mini Disk）レコーダとを備えた音響装置が知られている。この音響装置は、音響装置本体内に、ＣＤを載置して音響装置本体内と音響装置本体前面外側との間を移動可能な可動部と、電子部品が配置されるプリント基板とを備え、メッキ部材からなる複数の操作ボタンが音響装置外部に露出するよう設けられている。また、この音響装置は音響装置本体と分離可能な分離部を有し、この分離部にもメッキ部材からなる操作ボタンが音響装置外部に露出するよう設けられている。
【０００３】
ところで、前記音響装置の前記各操作ボタンはメッキ部を有しているので、メッキ部が静電気等により帯電するおそれがある。このため、各操作ボタンには、一端側がグランド側と電気的に接続された、アース用の接続線がそれぞれ接続されている。
【０００４】
【発明が解決しようとする課題】
しかしながら、前記音響装置では、音響装置本体内に各操作ボタンごとに接続されたアース用の接続線が配されるので、音響装置本体へのＣＤの出し入れに際し、各接続線と可動部とが干渉するおそれがあった。また、音響装置本体内の各部品と各接続線との接触を回避するように、音響装置本体を形成したり、音響装置本体内の各部品を配置したりしなければならず、装置の設計自由度が低いという問題点もある。
【０００５】
本発明は前記事情に鑑みてなされたものであり、その目的とするところは、アース用の接続線が他の部品と干渉することがなく、装置の設計自由度を向上することのできる電子機器を提供することにある。
【０００６】
【課題を解決するための手段】
前記目的を達成するため、請求項１記載の発明では、電子部品が配置されるプリント基板を電子機器本体内に備え、複数のメッキ部材を有する電子機器において、前記メッキ部材のメッキ部分と接触する導電性のアースプレートを介して、前記各メッキ部材の前記メッキ部分が互いに電気的に接続されるよう構成し、前記各メッキ部材の前記メッキ部分または前記アースプレートと、グランド側とを電気的に接続するアース用の接続線を設け、前記電子機器本体と、前記電子機器本体から分離可能な分離部とにそれぞれ前記メッキ部材が配置されたものであり、前記アースプレートとして、前記電子機器本体に配置された前記メッキ部材と接触する本体側アースプレートと、前記分離部に配置された前記メッキ部材と接触する分離側アースプレートとが設けられたものであって、前記本体側アースプレートと前記分離側アースプレートとが接触するよう構成したことを特徴とする。
【０００７】
請求項２記載の発明では、請求項１記載の電子機器において、前記プリント基板は前記電子機器本体にねじにより固定されるものであって、前記メッキ部材のメッキ部分と、これに接触する前記アースプレートとを、前記電子機器本体と前記プリント基板とにより挟圧したことを特徴とする。
【０００９】
請求項３記載の発明では、請求項１または２記載の電子機器において、前記分離部は前記電子機器本体にねじにより固定されるものであって、前記本体側アースプレートと前記分離側アースプレートとを、前記電子機器本体と前記分離部とにより挟圧したことを特徴とする。
【００１０】
請求項４記載の発明では、請求項１乃至３の何れか１項記載の電子機器において、前記アースプレートにおける前記メッキ部材の前記メッキ部分との接触部分が、前記メッキ部分側へ付勢されるよう構成したことを特徴とする。
【００１１】
【発明の実施の形態】
図１乃至図１５は本発明の一実施形態を示すもので、図１は音響装置の外観斜視図である。
【００１２】
図１に示すように、この音響装置１は、音響装置本体２と、音響装置本体２内に収納されたＣＤのデータを読み込むＣＤプレーヤ３と、音響装置本体２内に収納されたＣＤ−Ｒ／ＣＤ−ＲＷにデータを書き込むＣＤ−Ｒ／ＣＤ−ＲＷレコーダ４と、音響装置本体２内に収納されたＭＤのデータを読み込む、または、ＭＤにデータを書き込むＭＤレコーダ５とを有している。本実施形態においては、音響装置１はＣＤを載置して音響装置本体２内と音響装置本体２前面外側との間を移動可能な可動部を有しており、ＣＤ−Ｒ／ＣＤ−ＲＷレコーダ４は、この可動部に載置されたＣＤにデータを書き込むようになっている。
【００１３】
図２に示すように、音響装置本体２はその前面側をなす前面パネル６を有し、前面パネル６には、ＣＤを装置外部から音響装置本体２内へ収納可能なＣＤ用開口部７と、ＭＤを装置外部から音響装置本体２内へ収納可能なＭＤ用開口部８とが形成されている。即ち、前述の可動部はＣＤ用開口部７を通じて、音響装置本体２の内外を移動するようになっている。本実施形態においては、音響装置本体２は正面視で略Ｌ字状に形成され、前面パネル６も略Ｌ字状に形成されている。ＣＤ用開口部７は、前面パネル６の左右に延びる部分に横長に形成され、ＣＤは略水平の状態で音響装置本体２内へ収納される。また、ＭＤ用開口部８は、前面パネルの上下に延びる部分に縦長に形成され、ＭＤは略垂直の状態で音響装置本体２内へ収納される。
【００１４】
図３に示すように、前面パネル６の外縁は、後方へ延びる鍔部を有している。前面パネル６の左右に延びる部分における上部外縁の鍔部は分離パネル９をなし、前面パネル６から分離可能に構成される。前面パネル６のＣＤ用開口部７の上方には、略左右に延び後方へ延出する延出部１０が設けられ、延出部１０の後端には左右一対のねじ孔１０ａが形成されている。また、分離パネル９の後端には、下方へ延びる左右一対の連結部１１が設けられ、各連結部１１には連結孔１１ａが形成されている。図４に示すように、前面パネル６と分離パネル９は、連結孔１１ａを挿通しねじ孔１０ａと螺合するねじ１２により締結される。
【００１５】
音響装置本体２内には、前面パネル６に形成された第１の孔６ａ及び第２の孔６ｂからそれぞれ装置外部に露出する第１の操作ボタン１３及び第２の操作ボタン１４と、分離パネル９に形成された第３の孔９ａから装置外部に露出する第３の操作ボタン１５とが備えられている。メッキ部材としての各操作ボタン１３〜１５は、各パネル６，９側にメッキ部分１３ａ，１４ａ，１５ａを有し、各メッキ部分１３ａ，１４ａ，１５ａには各パネル６，９側に突出した操作部１３ｂ，１４ｂ，１５ｂが形成され、各操作部１３ｂ，１４ｂ，１５ｂが各孔６ａ，６ｂ，９ａから装置外部に露出するようになっている。
【００１６】
第１の孔６ａは前面パネル６のＣＤ用開口部７の左方に形成され、第１の操作ボタン１３の操作部１３ｂは第１の孔６ａから装置外部に露出している。
【００１７】
図８に示すように、第１の操作ボタン１３は、その下部に形成され前後にわたって延びる円筒部１３ｃと、その右上に形成され前後にわたって延びる円筒部１３ｄとを有している。尚、本実施形態においては、右上の円筒部１３ｄの上部は切り欠かれている。図３に示すように、前面パネル６は、これら各円筒部１３ｃ，１３ｄの内面と当接し、後方に延びる略円筒状に形成されたねじ止め部６ｄ，６ｅを有している。各ねじ止め部６ｄ，６ｅの内周面は雌ねじ部が形成され、第１のプリント基板１６に各ねじ止め部６ｄ，６ｅに対応して形成された各ねじ孔１６ａを挿通する各ねじ１７と螺合するようになっている。第１のプリント基板１６には、第１の操作ボタン１３に対応する電子部品等が配置されている。
【００１８】
また、音響装置本体２内には、第１の操作ボタン１３のメッキ部分１３ａと接触する第１の本体側アースプレート１８が設置される。図９に示すように、本体側アースプレート１８は導電性の材料からなり、第１の操作ボタン１３と接触し前面パネル６の裏側に沿って左右に延びる第１接触部１８ａと、第１接触部１８ａの右端から後方へ延びる電気案内部１８ｂと、電気案内部１８ｂの後端から右方へ延び他のアースプレートと接触可能な第２接触部１８ｃとを有している。即ち、本体側アースプレート１８は、第１接触部１８ａ、電気案内部１８ｂ及び第２接触部１８ｃにより、略矩形状に形成されている。
【００１９】
第１接触部１８ａには位置決め用の孔１８ｄが形成され、この孔１８ｄに前面パネル６に後方に突出して形成されたボス６ｆが挿通している。また、図１２に示すように、第１接触部１８ａの左端側は、メッキ部分１３ａの上部右端側と面接触するようになっている。また、第２接触部１８ｃには位置決め用の孔１８ｅが形成され、この孔１８ｅに前面パネル６の延出部１０に後方に突出して形成されたボス１０ｂが挿通している。ここで、延出部１０は本体側アースプレート１８の電気案内部１８ｂと干渉しないよう、電気案内部１８ｂの上方は左上がりに傾斜して形成されている。また、第２接触部１８ｃには延出部１０の左側のねじ孔１０ａに対応して、ねじ１２を挿通する挿通孔１８ｆが形成されている。
【００２０】
第２の孔６ｂは、前面パネル６の左右に延びる部分と上下に延びる部分の会合部付近に形成され、第２の操作ボタン１４の操作部１４ｂは第２の孔６ｄから装置外部に露出している。
【００２１】
図１０に示すように、第２の操作ボタン１４は、その右側下部に形成され前後わたって延びるとともに、下方が半円筒状に形成され上方が半四角筒状に形成された筒部１４ｃを有している。図５に示すように、前面パネル６は、この筒部１４ｃの内面と当接し、後方に延びる略円筒状に形成されたねじ止め部６ｇを有している。ねじ止め部６ｇの内周面は雌ねじ部が形成され、第２のプリント基板１９にねじ止め部６ｇに対応して形成されたねじ孔１９ａを挿通するねじ２０と螺合するようになっている。第２のプリント基板１９には、第２の操作ボタン１４に対応する電子部品等が配置されている。
【００２２】
また、音響装置本体２内には、第２の操作ボタン１４のメッキ部分１４ａと接触する集電アースプレート２１が設置される。図１１に示すように、集電アースプレート２１は導電性の材料からなり、第２の操作ボタン１４と接触し前面パネル６の裏側に沿って形成された平板状の第１接触部２１ａと、第１接触部２１ａの左端上部から略後方へ延びる電気案内部２１ｂと、第１接触部２１ａの左端中央部から略後方へ延びる取付部２１ｃとを有している。
【００２３】
図１５に示すように、第１接触部２１ａは、メッキ部分１４ａの左側と面接触するようになっている。また、第１接触部２１ａの下端にはアース接続孔２１ｄが形成され、このアース接続孔２１ｄにアース接続線２２が接続される。電気案内部２１ｂの後端側には、左斜め後方へ延びるよう屈曲した第２接触部２１ｅが形成され、第２接触部２１ｅは分離パネル９に配置される第３の操作ボタン１５のメッキ部分１５ａと接触するようになっている。即ち、第２接触部２１ｅは、図１５中の矢印に示すように、左方に付勢された状態で、メッキ部分１５ａと接触している。また、取付部２１ｃは、後端が左方に屈曲し、さらに、左方に屈曲した部分の左端が前方に屈曲した、略矩形状に形成されている。取付部２１ｃは、前面パネル６に後方へ突出して形成された突出部６ｈに、後方より嵌合するようになっている。
【００２４】
また、図７に示すように、第３の孔９ａは、分離パネル９の左右に並んで複数形成されている。即ち、第３の操作ボタン１５の操作部１５ｂは、各第３の孔９ａに対応して複数設けられ、各操作部１５ｂがそれぞれ各第３の孔９ａから装置外部に露出している。
【００２５】
図７に示すように、第３の操作ボタン１５は分離パネル９の裏側後部を略左右に延びる連結部１５ｃを有し、この連結部１５ｃの前端に、前方に延びそれぞれ操作部１５ｂを有する複数の延長部１５ｄが左右に並設されている。また、第３の操作ボタン１５は、その左側後部、右側後部及び右側前部にそれぞれ形成され上下にわたって延びる略円筒状の円筒部１５ｅを有している。さらに、第３の操作ボタン１５は、その左右中央側後部に、後部が切り欠かれ前部が半四角筒状に形成された半筒部１５ｆを有している。分離パネル９は、各円筒部１５ｅ及び半筒部１５ｆの内面と当接し、下方に延びる略円筒状に形成された複数のねじ止め部９ｂを有している。各ねじ止め部９ｂの内周面は雌ねじ部が形成され、第３のプリント基板２３に各ねじ止め部９ｂに対応して形成されたねじ孔２２ａまたは切欠２２ｂを挿通するねじ２４と螺合するようになっている。第３のプリント基板２３には、第３の操作ボタン１５に対応する電子部品等が配置されている。
【００２６】
また、音響装置本体２内には、第３の操作ボタン１５のメッキ部分１５ａと接触する分離側アースプレート２５が設置される。分離側アースプレート２５は導電性の材料からなり、第３の操作ボタン１５の連結部１５ｃと接触し分離パネル９の裏側に沿って左右に延びる第１接触部２５ａと、第１接触部２５ａの上端右側から下方へ延びる第２接触部２５ｂとを有している。
【００２７】
第１接触部２５ａには位置決め用の孔２５ｃが形成され、この孔２５ｃに分離パネル９に下方に突出して形成されたボス９ｃが挿通している。また、図１３に示すように、第１接触部２５ａの後面は、メッキ部分１５ａの上面左側と面接触するようになっている。第２接触部２５ｂは左側の連結部１１の下面に沿うよう形成され、延出部１０の左側のねじ孔１０ａに対応して、ねじ１２を挿通する挿通孔２５ｄが形成されている。そして、図１４に示すように、第２接触部２５ｂの下面と、本体側アースプレート１８の第２接触部１８ｃの上面とが面接触するようになっている。
【００２８】
また、図６に示すように、前面パネル６の下部右側には第４のプリント基板２６が、ねじ２７により固定されている。第４のプリント基板２６にはアース用のねじ孔２６ａが形成され、このねじ孔２６ａには、一端が集電アースプレート２１に接続されたアース接続線２２の他端側と、略Ｌ字状に形成されたアース金具２８の一端側とが、アースねじ２６により固定される。即ち、アース接続線２２と、アース金具２８とは電気的に接続されている。アース金具２８の他端側は、図示しないビスにより、グランド側である音響装置１のシャシに接続される。
【００２９】
以上のように構成された音響装置１において、前面パネル６に分離パネル９及び各部品を組み付ける手順について、特に図２乃至図７を参照して説明する。
【００３０】
まず、前面パネル６の裏側が上方となるようにした状態で、図３に示すように、ボス６ｆに孔１８ｄを挿通するとともに、ボス１０ｂに孔１８ｅを挿通して、前面パネル６に本体側アースプレート１８を載置する。これにより、本体側アースプレート１８の前面パネル６に対する位置決めが行われる。
【００３１】
次に、各ねじ止め部６ｄ，６ｅの外面に各円筒部１３ｃ，１３ｄの内周面が当接するように、前面パネル６に第１の操作ボタン１３を載置する。これにより、第１の操作部１３のメッキ部分１３ａと本体側アースプレート１８が面接触するとともに、第１の操作ボタン１３の前面パネル６に対する位置決めが行われる。
【００３２】
そして、図３に示すように、各ねじ止め部６ｄ，６ｅに各ねじ１７を螺合させ、第１のプリント基板１６を前面パネル６に締結固定する。このとき、図１２に示すように、本体側アースプレート１８と第１の操作ボタン１３のメッキ部分１３ａは、前面パネル６と第１のプリント基板１６とにより挟圧され、本体側アースプレート１８とメッキ部分１３ａとが密着する。
【００３３】
次に、分離パネル９の裏側が上方となるようにした状態で、図７に示すように、各ボス９ｃに各孔２５ｃを挿通して、分離パネル９に分離側アースプレート２５を載置する。これにより、分離側アースプレート２５の分離パネル９に対する位置決めが行われる。
【００３４】
次に、各ねじ止め部９ｂの外面に各円筒部１５ｅ及び半筒部１５ｆの内周面が当接するように、分離パネル９に第３の操作ボタン１５を載置する。これにより、第３の操作部１５のメッキ部分１５ａと分離側アースプレート２５が面接触するとともに、第３の操作ボタン１５の分離パネル９に対する位置決めが行われる。
【００３５】
そして、図７に示すように、各ねじ止め部９ｂに各ねじ２４を螺合させ、第３のプリント基板２３を分離パネル９に締結固定する。このとき、図１３に示すように、分離側アースプレート２５と第３の操作ボタン１５のメッキ部分１５ａは、分離パネル９と第３のプリント基板２３とにより挟圧され、分離側アースプレート２５とメッキ部分１５ａとが密着する。
【００３６】
次に、図４に示すように、各ねじ孔１０ａに各ねじ１２を螺合させ、第３の操作ボタン１５、分離側アースプレート２５及び第３のプリント基板２６が固定された状態の分離パネル９を、第１の操作ボタン１３、本体側アースプレート１８及び第１のプリント基板１６が固定された状態の前面パネル６に固定する。このとき、図１４に示すように、左側のねじ１２は各アースプレート１８，２５の挿通孔１８ｆ，２５ｄを挿通し、各アースプレート１８，２５は前面パネル６と分離パネル９とにより挟圧され、各アースプレート１８，２５が互いに面接触した状態で密着する。
【００３７】
次に、図５に示すように、取付部２１ｃを突出部６ｈに嵌め込んで、前面パネル６に集電アースプレート２１を固定する。このとき、図１５に示すように、第２接触部２１ｅは弾性変形して第３の操作ボタン１５と接触し、第２接触部２１ｅがメッキ部分１５ａ側に付勢された状態となっている。
【００３８】
次に、ねじ止め部６ｇの外面に筒部１４ｃの内周面が当接するように、前面パネル６に第２の操作ボタン１４を載置する。これにより、第２の操作ボタン１４のメッキ部分１４ａと集電アースプレート２１が面接触するとともに、第２の操作ボタン１４の前面パネル６に対する位置決めが行われる。
【００３９】
そして、図５に示すように、ねじ止め部６ｇにねじ２０を螺合させ、第２のプリント基板１９を前面パネル６に締結固定する。このとき、図１５に示すように、集電アースプレート２１と第２の操作ボタン１４のメッキ部分１４ａは、前面パネル６と第２のプリント基板１９とにより挟圧され、集電アースプレート２１とメッキ部分１４ａとが密着する。
【００４０】
そして、図６に示すように、第４のプリント基板２６をねじ２７により前面パネル６に締結固定した後、集電アースプレート２１に一端が接続されたアース接続線２２と、アース金具２８とをアースねじ２６により第４のプリント基板２６のねじ孔２６ａに固定する。これにより、図２に示すように、前面パネル６に全ての部品が組み込まれた状態となり、前面パネル６への分離パネル９及び各部品の組み付けを終了する。
【００４１】
このように、本実施形態の音響装置１によれば、各操作ボタン１３〜１５のメッキ部分１３ａ，１４ａ，１５ａは各アースプレート１８，２１，２５を介して電気的に接続されるようにしたので、各操作ボタン１３〜１５のメッキ部分１３ａ，１４ａ，１５ａに静電気等が発生すると、各アースプレート１８，２１，２５を介してアース接続線２２からグランド側へ電流が流れる。即ち、静電気等により各操作ボタン１３〜１５のメッキ部分１３ａ，１４ａ，１５ａが帯電することはない。ここで、各メッキ部分１３ａ，１４ａ，１５ａは互いに電気的に接続されているので、複数の操作ボタン１３〜１５に対して１つのアース接続線２２によりアースをとることができる。即ち、各操作ボタンごとにアース接続線を設けた従来のもののように、アース接続線が音響装置本体内の他の部品と干渉したり、各アース接続線の配置により他の部品の配置が制限されることはない。
【００４２】
従って、音響装置本体２内の他の部品等の配置の自由度が増し、音響装置１の設計自由度が飛躍的に向上し、また、アース接続線２２が音響装置本体２内を移動する可動部と干渉するおそれもない。
【００４３】
また、本実施形態の音響装置１によれば、各操作ボタン１３〜１５のメッキ部分１３ａ，１４ａ，１５ａと各アースプレート１８，２１，２５とは互いに面接触するようにしたので、これらは確実に電気的に接続され、各メッキ部分１３ａ，１４ａ，１５ａと各アースプレート１８，２１，２５の接触を確実に保つことができる。
【００４４】
また、本実施形態の音響装置１によれば、各操作ボタン１３〜１５のメッキ部分１３ａ，１４ａ，１５ａと各アースプレート１８，２１，２５の接触部分は、各プリント基板１６，１９，２２により各パネル６，９側に対して所定の挟圧力で固定されるようにしたので、例えば、音響装置１に振動が加わった際にも、各操作ボタン１３〜１５及び各アースプレート１８，２１，２５が互いに離隔することはなく、これによっても各メッキ部分１３ａ，１４ａ，１５ａと各アースプレート１８，２１，２５の接触を確実に保つことができる。
【００４５】
また、本実施形態の音響装置１によれば、音響装置１の組立時に、各アースプレート１８，２１，２５を音響装置１に組み込むことで、各操作ボタン１３〜１５のアースに関する作業を終了することができる。即ち、従来のもののように、各操作ボタンごとにアース接続線を接続するという煩わしい作業を行う必要はない。さらにまた、音響装置本体２内に他の部品等を組み付ける際に、他の部品等をアース接続線２２に引っ掛けるおそれがなく、実用に際して極めて有利である。
【００４６】
また、本実施形態の音響装置１によれば、前面パネル６の本体側アースプレート１８と、分離パネル６の分離側アースプレート２１とが接触するよう構成したので、前面パネル６への分離パネル９の組み付けにより、前面パネル６側における第１の操作ボタン１３のメッキ部分１３ａと、分離パネル９側における第３の操作ボタン１５のメッキ部分１５ａとを電気的に接続することができる。
【００４７】
また、本実施形態の音響装置１によれば、本体側アースプレート１８の第２接触部１８ｃと、分離側アースプレート２５の第２接触部２５ｂとが面接触するようにしたので、これらは確実に電気的に接続され、各アースプレート１８，２５の互いの接触を確実に保つことができる。
【００４８】
また、本実施形態の音響装置１によれば、本体側アースプレート１８と分離側アースプレート２５との接触部分は、各パネル６，９により所定の挟圧力で固定されるようにしたので、例えば、音響装置１に振動が加わった際にも、各アースプレート１８，２５が互いに離隔することはなく、これによっても各アースプレート１８，２５の接触を確実に保つことができる。
【００４９】
また、本実施形態の音響装置１によれば、集電アースプレート２１の第２接触部２１ｅが、第２の操作ボタン１４のメッキ部分１４ａ側へ付勢されるようにしたので、メッキ部分１４ａと集電アースプレート２１との接触を確実に保つことができる。
【００５０】
尚、前記実施形態においては、音響装置１に本発明を適用したものを示したが、カーナビゲーション装置、携帯電話端末等のような他の電子機器であってもよいことは勿論である。
【００５１】
また、前記実施形態においては、各操作ボタン１３〜１５を電気的に接続したものを示したが、装飾等に用いる他のメッキ部材を電気的に接続してもよく、メッキ部材は操作ボタンに限られるものではない。
【００５２】
また、前記実施形態における各アースプレート１８，２１，２５の形状等も任意であり、その他、具体的な細部構造等についても適宜に変更可能であることは勿論である。
【００５３】
以上詳述したように、本実施形態の音響装置によれば、複数のメッキ部材に対して１つのアース接続線でアースをとるようにしたので、アース接続線が電子機器本体内の他の部品と干渉したり、各アース接続線の配置により他の部品の配置が制限されることはない。従って、アース接続線が電子機器本体内を移動する可動部等と干渉するおそれはないし、また、電子機器本体内の他の部品等の配置の自由度が増し、電子機器の設計自由度が飛躍的に向上する。
【００５４】
【発明の効果】
この発明によれば、アース用の接続線が他の部品と干渉することがなく、装置の設計自由度が向上する。
【図面の簡単な説明】
【図１】本発明の一実施形態を示す音響装置の外観斜視図である。
【図２】音響装置本体の前面パネルの裏側を示す斜視図である。
【図３】第１の操作ボタン、本体側アースプレート等の組み付け状態を示す前面パネルの分解斜視図である。
【図４】分離パネルの組み付け状態を示す前面パネルの分解斜視図である。
【図５】第２の操作ボタン、集電アースプレート等の組み付け状態を示す前面パネルの分解斜視図である。
【図６】アース金具、アース接続線等の組み付け状態を示す前面パネルの分解斜視図でる。
【図７】第３の操作ボタン、分離側アースプレート等の組み付け状態を示す分離パネルの分解斜視図である。
【図８】第１の操作ボタンの斜視図である。
【図９】本体側アースプレートの斜視図である。
【図１０】第２の操作ボタンの斜視図である。
【図１１】集電アースプレート及びアース接続線の斜視図である。
【図１２】第１の操作ボタンと本体側アースプレートとの接触状態を示す断面図である。
【図１３】第３の操作ボタンと分離側アースプレートとの接触状態を示す断面図である。
【図１４】本体側アースプレートと分離側アースプレートとの接触状態を示す断面図である。
【図１５】第２の操作ボタンと集電アースプレートとの接触状態、並びに第３の操作ボタンと集電アースプレートとの接触状態を示す断面図である。
【符号の説明】
１      音響装置
２      音響装置本体
６      前面パネル
９      分離パネル
１２      ねじ
１３      第１の操作ボタン
１３ａ    メッキ部分
１４      第２の操作ボタン
１４ａ    メッキ部分
１５      第３の操作ボタン
１５ａ    メッキ部分
１６      第１のプリント基板
１７      ねじ
１８      本体側アースプレート
１９      第２のプリント基板
２０      ねじ
２１      集電アースプレート
２１ｅ    第２接触部
２２      アース接続線
２３      第３のプリント基板
２４      ねじ
２５      分離側アースプレート
【図１】
0003985186.tif 000002
【図２】
0003985186.tif 000003
【図３】
0003985186.tif 000004
【図４】
0003985186.tif 000005
【図５】
0003985186.tif 000006
【図６】
0003985186.tif 000007
【図７】
0003985186.tif 000008
【図８】
0003985186.tif 000009
【図９】
0003985186.tif 000010
【図１０】
0003985186.tif 000011
【図１１】
0003985186.tif 000012
【図１２】
0003985186.tif 000013
【図１３】
0003985186.tif 000014
【図１４】
0003985186.tif 000015
【図１５】
0003985186.tif 000016